(57)【特許請求の範囲】
【請求項１】
少なくとも画像を表示する画像表示部と、
使用者からの指示入力を取得するための操作入力部と、
画像を取得するための画像取得部と、
上記画像取得部による取得画像内の少なくとも顔画像を、認識する画像認識部と、
顔画像に少なくとも表情をつけるための表情設定情報を、取得する表情設定情報取得部と、
表情設定情報取得部による表情設定情報に応じて顔画像に所定の画像加工を施す画像加工処理部と、
上記取得画像内の顔画像を、上記画像加工処理部にて上記所定の画像加工が施された顔画像に置き換える画像置換部とを有し、
上記画像取得部は、画像を撮像する撮像部を有し、上記操作入力部を通じて使用者から撮影指示が入力される前に上記撮像部が撮像した画像と、上記操作入力部を通じて使用者から撮影指示が入力された時に上記撮像部が撮像した撮影画像とを取得し、
上記画像認識部は、上記撮影指示の入力前に上記撮像部が撮像した画像内の顔画像と、上記撮影指示の入力時に上記撮像部が撮像した撮影画像内の顔画像とを認識し、
上記表情設定情報取得部は、複数の表情設定情報の中から、上記操作入力部を通じて使用者により入力された選択指示に応じた表情設定情報を取得し、
上記画像加工処理部は、上記撮影指示の入力前に上記撮像部が撮像した画像内で上記画像認識部が認識した顔画像に上記所定の画像加工を施し、
上記画像置換部は、上記撮影指示の入力時に上記撮像部が撮像した上記撮影画像内で上記画像認識部が認識した顔画像を、上記所定の画像加工後の顔画像にて置き換える携帯情報端末。
【請求項２】
画像を取得するための画像取得部と、
上記画像取得部による取得画像内の少なくとも顔画像を、認識する画像認識部と、
顔画像に少なくとも表情をつけるための表情設定情報を、取得する表情設定情報取得部と、
表情設定情報取得部による表情設定情報に応じて顔画像に所定の画像加工を施す画像加工処理部と、
上記取得画像内の顔画像を、上記画像加工処理部にて上記所定の画像加工が施された顔画像に置き換える画像置換部として情報情報端末に搭載されたコンピュータを機能させ、
上記画像取得部は、画像を撮像する撮像部を有し、操作入力部を通じて使用者から撮影指示が入力される前に上記撮像部が撮像した画像と、操作入力部を通じて使用者から撮影指示が入力された時に上記撮像部が撮像した撮影画像とを取得し、
上記画像認識部は、上記撮影指示の入力前に上記撮像部が撮像した画像内の顔画像と、上記撮影指示の入力時に上記撮像部が撮像した撮影画像内の顔画像とを認識し、
上記表情設定情報取得部は、複数の表情設定情報の中から、操作入力部を通じて使用者により入力された選択指示に応じた表情設定情報を取得し、
上記画像加工処理部は、上記撮影指示の入力前に上記撮像部が撮像した画像内で上記画像認識部が認識した顔画像に上記所定の画像加工を施し、
上記画像置換部は、上記撮影指示の入力時に上記撮像部が撮像した上記撮影画像内で上記画像認識部が認識した顔画像を、上記所定の画像加工後の顔画像にて置き換える画像処理プログラム。
【請求項３】
画像取得部が画像を取得するステップと、
上記画像取得部による取得画像内の少なくとも顔画像を、画像認識部が認識するステップと、
顔画像に少なくとも表情をつけるための表情設定情報を、表情設定情報取得部が取得するステップと、
表情設定情報取得部による表情設定情報に応じて、画像加工処理部が、顔画像に所定の画像加工を施すステップと、
画像置換部が、上記取得画像内の顔画像を上記画像加工処理部にて上記所定の画像加工が施された顔画像に置き換えるステップとを有し、
上記画像取得部は、画像を撮像する撮像部を有し、操作入力部を通じて使用者から撮影指示が入力される前に上記撮像部が撮像した画像と、操作入力部を通じて使用者から撮影指示が入力された時に上記撮像部が撮像した撮影画像とを取得するステップを有し、
上記画像認識部は、上記撮影指示の入力前に上記撮像部が撮像した画像内の顔画像と、上記撮影指示の入力時に上記撮像部が撮像した撮影画像内の顔画像とを認識するステップを有し、
上記表情設定情報取得部は、複数の表情設定情報の中から、操作入力部を通じて使用者により入力された選択指示に応じた表情設定情報を取得するステップを有し、
上記画像加工処理部は、上記撮影指示の入力前に上記撮像部が撮像した画像内で上記画像認識部が認識した顔画像に上記所定の画像加工を施すステップを有し、
上記画像置換部は、上記撮影指示の入力時に上記撮像部が撮像した上記撮影画像内で上記画像認識部が認識した顔画像を、上記所定の画像加工後の顔画像にて置き換えるステップを有する画像処理方法。
【発明の詳細な説明】
【技術分野】
【０００１】
本発明は、ディジタルカメラやカメラ機能付き携帯端末のような携帯情報端末と、その携帯情報端末に好適な画像処理プログラム及び画像処理方法に関するに関する。
【背景技術】
【０００２】
近年は、コンピュータグラフィックス技術の進歩が著しく、例えば特開２００６−１６３８７１号の公開特許公報（特許文献１）には、実写による顔画像から詳細な特徴点を抽出し、その詳細な特徴点に基づいて顔の３次元モデルである顔モデルを生成し、その周辺部分を奥行き方向であるＺ方向に拡張すると共に、顔モデルとは別に頭髪モデルを生成し、それら顔モデルと頭髪モデルを合成することにより、特に人の顔のリアルなアニメーション画像を容易に生成可能とした技術が開示されている。
【０００３】
また、特開２００７−１５６６５０号の公開特許公報（特許文献２）には、定常状態において無意識に表れる顔の表情を定義する無意識表情アニメーションパラメータと、定常状態に加えて意識的に表される顔の表情を定義する意識表情アニメーションパラメータとを保持し、これらパラメータをアプリケーションからの指示により更新すると共に、無意識表情アニメーションパラメータ及び意識表情アニメーションパラメータを混合して顔モデルデータを生成し、その顔モデルデータに基づいて顔の表情を描画することにより、キーフレームを逐一指定することなく、抽象的な指示に基づいて顔の自然な表情を生成可能とした技術が開示されている。
【０００４】
さらに、特開２００７−２８６６６９号の公開特許公報（特許文献３）には、髪の毛の領域よりも大きな領域を可動範囲として設定したテクスチャと、顔の中心から離れるほど大きな遅延量が設定されるテクスチャを生成し、また、処理対象とされる座標において決定した遅延量に対応する角速度を用いた所定の演算を行うことにより、テクスチャをピクセル単位で変更してアニメーション画像を生成することにより、髪の毛をより自然にアニメーションさせることを可能とした技術が開示されている。
【０００５】
【特許文献１】特開２００６−１６３８７１公報（図２）
【特許文献２】特開２００７−１５６６５０公報（図４）
【特許文献３】特開２００７−２８６６６９公報（図２）
【発明の開示】
【発明が解決しようとする課題】
【０００６】
ところで、近年はディジタルカメラやカメラ機能付きの携帯電話端末が広く普及したことで、例えば人物撮影（ポートレート撮影）などが気軽に行われている。
【０００７】
また、従来のディジタルカメラ等では、例えば人物等の撮影が行われる際に、いわゆる赤目防止や手振れ補正、明るさ補正などの様々な補正処理を行うことにより、失敗写真を少なくすることが試みられている。
【０００８】
但し、人物を撮影した写真の場合は、一般に笑顔の写真が好まれる傾向にあるのに対し、上述した赤目防止や手振れ補正、明るさ補正などの処理が行われたとしても、必ず笑顔の撮影画像が得られるわけではない。すなわち、笑顔の写真を撮るためには、被写体の人物が笑顔になったタイミングでシャッターボタンを押す必要があり、その撮影タイミングを外してしまった時の写真は失敗写真になってしまう。
【０００９】
一方、最近は、被写体人物の顔の表情をカメラ側で認識し、笑顔になった時に撮影が行われる笑顔撮影機能が搭載されたディジタルカメラ等も商品化されている。
【００１０】
しかしながら、笑顔撮影機能を備えたディジタルカメラ等であっても、被写体の人物が笑顔にならないと撮影を行うことはできない。また例えば、被写体が複数人であるような場合に、それら全員が同時に笑顔になった撮影画像を得るためには、或る程度高度な撮影テクニック、すなわち例えば全員の表情を同時に自然な笑顔にするための話術等が必要になる。その他にも、笑顔以外の表情の写真を撮りたい場合には、上述した笑顔撮影機能では対応できないことになる。
【００１１】
本発明は、このような実情に鑑みて提案されたものであり、例えば人物の表情が所望の表情になった画像を得ることができる携帯情報端末、画像処理プログラム及び画像処理方法を提供することを目的とする。
【課題を解決するための手段】
【００１２】
本発明の携帯情報端末は、少なくとも画像を表示する画像表示部と、画像を取得するための画像取得部と、画像取得部による取得画像内の少なくとも顔画像を認識する画像認識部と、顔画像に少なくとも表情をつけるための表情設定情報を取得する表情設定情報取得部と、表情設定情報取得部による表情設定情報に応じて顔画像に所定の画像加工を施す画像加工処理部と、取得画像内の顔画像を、画像加工処理部にて所定の画像加工が施された顔画像に置き換える画像置換部とを有する。そして、画像取得部は、画像を撮像する撮像部を有し、操作入力部を通じて使用者から撮影指示が入力される前に撮像部が撮像した画像と、操作入力部を通じて使用者から撮影指示が入力された時に撮像部が撮像した撮影画像とを取得する。画像認識部は、撮影指示の入力前に撮像部が撮像した画像内の顔画像と、撮影指示の入力時に撮像部が撮像した撮影画像内の顔画像とを認識する。表情設定情報取得部は、複数の表情設定情報の中から、操作入力部を通じて使用者により入力された選択指示に応じた表情設定情報を取得する。画像加工処理部は、撮影指示の入力前に撮像部が撮像した画像内で画像認識部が認識した顔画像に所定の画像加工を施す。画像置換部は、撮影指示の入力時に撮像部が撮像した撮影画像内で画像認識部が認識した顔画像を、所定の画像加工後の顔画像にて置き換える。これにより、上述した課題を解決する。
また、本発明の画像処理プログラムは、画像を取得するための画像取得部と、画像取得部による取得画像内の少なくとも顔画像を認識する画像認識部と、顔画像に少なくとも表情をつけるための表情設定情報を取得する表情設定情報取得部と、表情設定情報取得部による表情設定情報に応じて顔画像に所定の画像加工を施す画像加工処理部と、取得画像内の顔画像を、画像加工処理部にて所定の画像加工が施された顔画像に置き換える画像置換部として情報情報端末を機能させる。そして、画像取得部は、画像を撮像する撮像部を有し、操作入力部を通じて使用者から撮影指示が入力される前に撮像部が撮像した画像と、操作入力部を通じて使用者から撮影指示が入力された時に撮像部が撮像した撮影画像とを取得する。画像認識部は、撮影指示の入力前に撮像部が撮像した画像内の顔画像と、撮影指示の入力時に撮像部が撮像した撮影画像内の顔画像とを認識する。表情設定情報取得部は、複数の表情設定情報の中から、操作入力部を通じて使用者により入力された選択指示に応じた表情設定情報を取得する。画像加工処理部は、撮影指示の入力前に撮像部が撮像した画像内で画像認識部が認識した顔画像に所定の画像加工を施す。画像置換部は、撮影指示の入力時に撮像部が撮像した撮影画像内で画像認識部が認識した顔画像を、所定の画像加工後の顔画像にて置き換える。これにより、上述した課題を解決する。
【００１３】
また、本発明の画像処理方法は、画像を取得するステップと、その取得画像内の少なくとも顔画像を認識するステップと、顔画像に少なくとも表情をつけるための表情設定情報を取得するステップと、その表情設定情報に応じて、顔画像に所定の画像加工を施すステップと、取得画像内の顔画像を所定の画像加工が施された顔画像に置き換えるステップとを有する。そして、画像取得部は、画像を撮像する撮像部を有し、操作入力部を通じて使用者から撮影指示が入力される前に撮像部が撮像した画像と、操作入力部を通じて使用者から撮影指示が入力された時に撮像部が撮像した撮影画像とを取得する。画像認識部は、撮影指示の入力前に撮像部が撮像した画像内の顔画像と、撮影指示の入力時に撮像部が撮像した撮影画像内の顔画像とを認識する。表情設定情報取得部は、複数の表情設定情報の中から、操作入力部を通じて使用者により入力された選択指示に応じた表情設定情報を取得する。画像加工処理部は、撮影指示の入力前に撮像部が撮像した画像内で画像認識部が認識した顔画像に所定の画像加工を施す。画像置換部は、撮影指示の入力時に撮像部が撮像した撮影画像内で画像認識部が認識した顔画像を、所定の画像加工後の顔画像にて置き換える。これにより、上述の課題を解決する。
【００１４】
すなわち、本発明によれば、画像表示部を備えた携帯情報端末において、画像を取得し、その取得画像内に顔画像が存在している場合には、その顔画像の所望の表情をつける画像加工を施し、その加工後の顔画像を元の画像の顔画像と置き換えるようにしている。
【発明の効果】
【００１５】
本発明においては、例えば撮像した画像や登録画像、動画像のフレーム画像等の画像を取得し、その取得画像内に顔画像がある場合には、その顔画像の所望の表情（例えば笑顔等）をつける画像加工を施し、その加工後の顔画像を元の画像の顔画像と置き換えるようにしているため、例えば人物の表情が所望の表情（例えば笑顔等）になった画像を得ることができる。
【発明を実施するための最良の形態】
【００１６】
以下、図面を参照しながら、本発明の一実施形態について説明する。
【００１７】
なお、以下の実施形態では、本発明の適用例として、カメラ機能とテレビジョン機能付きの携帯電話端末を挙げているが、勿論、ここで説明する内容はあくまで一例であり、本発明はこの例に限定されないことは言うまでもない。
【００１８】
〔携帯電話端末の概略構成〕
図１には、本実施形態のカメラ機能及びテレビジョン機能付き携帯電話端末の概略構成を示す。
【００１９】
図１において、通信アンテナ１２は、例えば内蔵アンテナであり通話や、電子メール等のパケット通信のための信号電波の送受信を行う。通信回路１１は、送受信信号の周波数変換、変調と復調等を行う。
【００２０】
スピーカ２１は、携帯電話端末に設けられている受話用のスピーカや、リンガ（着信音）、アラーム音、警告音、再生音楽、ディジタル音声、再生動画像の音声等の出力用スピーカからなり、音声処理部２３から供給された音声信号を音響波に変換して空気中に出力する。
【００２１】
マイクロホン２２は、送話用及び外部音声集音用のマイクロホンであり、音響波を音声信号に変換し、その音声信号を音声処理部２３へ入力する。
【００２２】
音声処理部２３は、復号等の所定の音声処理により生成した音声データをディジタル／アナログ変換した後に増幅し、その増幅後の音声信号を上記スピーカ２１へ出力する。また、音声処理部２３は、マイクロホン２２から供給された入力音声信号を増幅及びアナログ／ディジタル変換し、そのアナログ／ディジタル変換後の音声データの符号化等の所定の音声処理を施す。また、音声処理部２３は、ディジタルテレビジョン放送の音声信号をスピーカ２１へ出力することも行う。
【００２３】
操作部１４は、本実施形態の携帯電話端末の図示しない筐体上に設けられているテンキーや発話キー、終話／電源キー等の各キーや十字キー、シャッターボタン、ジョグダイヤル等の各操作子と、それら操作子が操作された時の操作信号を発生する操作信号発生器とからなる。
【００２４】
表示部１３は、例えば液晶ディスプレイや有機ＥＬ（ElectroLuminescent）ディスプレイ等の表示デバイスと、そのディスプレイの表示駆動回路とを含み、画像処理部２４から供給された画像信号により、上記ディスプレイ上に例えば電子メール等の各種文字やメッセージを表示したり、静止画像や動画像、カメラ撮影時の画像等の表示を行う。
【００２５】
カメラ部２８は、レンズ系とオートフォーカス機構及び露出機構、撮像素子等を備えたカメラデバイスである。なお、カメラ部２８は、光学式手振れ補正機構や撮像素子駆動式手振れ補正機構を備えていても良い。撮影制御部２７は、カメラ部２８のオートフォーカス機構や露出機構等の動作を制御すると共に、撮像素子における画像撮像及び撮像信号の読み出し等を制御し、その撮像信号を上記画像処理部２４へ送る。当該撮像制御部２７は、いわゆる赤目防止や明るさ調整等の補正機能を備えていてもよい。その他、上記手振れ補正は、当該撮像制御部２７が撮像素子からの撮像信号読み出し範囲を制御することで行ってもよい。
【００２６】
画像処理部２４は、制御部１０による制御の基で、文字や記号、画像等の画像信号を生成して表示部１３に表示させたり、待ち受け画面や各種のユーザインターフェース画面やウェブページ画面等を表示部１３に表示させたりする。また、画像処理部２４は、カメラ機能により撮影される前の画像や撮影後に保存された写真画像、ディジタルテレビジョン放送の動画像等を表示部１３に表示させたり、写真画像のサムネイル画像データを生成する処理なども行う。さらに、本実施形態の画像処理部２４は、画像に対して所望の加工を施す画像加工処理部２５も有している。当該画像加工処理部２５にて行われる画像加工処理としては、例えば特開２００６−１６３８７１号の公開特許公報や特開２００７−１５６６５０号の公開特許公報、特開２００７−２８６６６９号の公開特許公報に記載されたアニメーション画像処理技術を適用することができる。これら公報に記載されたアニメーション技術については既知の技術であるため、ここではその詳細な説明については省略する。
【００２７】
テレビジョン制御部２９は、ディジタルテレビジョン放送の受信チューナ部とＡＶコーデック部とを備えており、ディジタルテレビジョン放送用アンテナ３０により受信されたディジタルテレビジョン放送信号の復調，アナログ／ディジタル変換，圧縮符号化されているデータの伸張復号等の処理を行い、その該復調及び伸張復号されたディジタルテレビジョン放送の動画像データを画像処理部２４へ送り、ディジタルテレビジョン放送の音声データを音声処理部２３へ送る。これにより、表示部１３にはディジタルテレビジョン放送の映像が表示され、スピーカ２１からはディジタルテレビジョン放送の音声が出力される。
【００２８】
メモリ部１５は、ＲＯＭ（Read Only Memory）１６とＲＡＭ（Random Access Memory）１７を有する。ＲＯＭ１６は、例えばＮＡＮＤ型フラッシュメモリ（NAND-type flash memory）のような書き換え可能な記憶媒体を含み、例えば、ＯＳ（Operating System）のプログラムや、制御部１０が各部を制御するための制御プログラム、通信アプリケーションプログラムや本発明にかかる画像処理アプリケーションプログラム等の各種のアプリケーションプログラム、例えば楽曲データコンテンツや動画像データコンテンツの他、カメラ機能により撮影されて保存された撮影画像データ、各種の初期設定値、フォントデータ、各辞書データ、機種名情報や端末識別情報などをも記憶する。ＲＡＭ１７は、制御部１０や画像処理部２４，音声処理部２３等が各種のデータ処理を行う際の作業領域として随時データを格納する。特に、本実施形態の場合、ＲＡＭ１７には、カメラ機能による撮影画像データを一時的に格納する領域や、本発明にかかる画像処理時の作業領域として使用される。また、メモリ部１５の本発明にかかる画像処理プログラムを含む各プログラムは、ディスク状記録媒体や外部半導体メモリ等を介して格納されたり、外部インターフェースを通じたケーブル或いは無線を介して格納されたものであっても良い。
【００２９】
制御部１０は、ＣＰＵ（中央処理ユニット）からなり、通信回路１１における通信の制御、音声処理の制御、画像処理の制御、その他各種信号処理や各部の制御等を行う。また、制御部１０は、メモリ部１５に蓄積されている各種の制御プログラムやアプリケーションプログラムの実行及びそれに付随する各種データ処理等を行う。
【００３０】
その他、図１には図示を省略しているが、本実施形態の携帯電話端末は、キー照明や着信ライト用などのＬＥＤ（発光ダイオード）とその駆動部、各部へ電力を供給するバッテリとその電力をコントロールするパワーマネージメントＩＣ部、いわゆるブルートゥース方式（Bluetooth：登録商標）やＵＷＢ（Ultra Wide Band）方式、無線ＬＡＮ（Local Area Network）などによる近距離無線通信を行うための近距離無線通信部、非接触ＩＣカード機能とリーダライタ機能とを備えた非接触通信処理部、ＧＰＳ（Global Positioning System）通信部、外部メモリ用スロット、タイマ（時計部）など、一般的な携帯電話端末に設けられる各構成要素についても備えている。
【００３１】
ここで、詳細については後述するが、上記制御部１０は、本発明にかかる画像処理アプリケーションプログラムを実行することにより、本発明の第１の実施形態の処理として、カメラ部２８及び撮影制御部２７からなるカメラ機能部により得られる撮像画像から人物の顔画像を検出及び抽出する顔認識処理と、当該顔認識処理により認識された顔画像に対して上記画像加工処理部２５にて所望の画像加工を行わせる加工制御処理と、カメラ機能部にて実際に撮影された人物画像の顔画像部分を上記画像加工処理後の顔画像により上書きしてメモリ部１５に記録する画像記録処理とを、実行可能となされている。なお、顔認識処理は、例えば顔の特徴点を検出してそれら特徴点により形成されるパターンを認識することで、その顔画像の特徴や表情等を認識するものであり、既知の技術であるためここではその詳細な説明を省略する。
【００３２】
同様に詳細は後述するが、制御部１０は、本発明にかかる画像処理アプリケーションプログラムを実行することにより、本発明の第２の実施形態の処理として、既に撮影等されてメモリ部１５に記録されている人物画像から顔画像を検出及び抽出する上記顔認識処理と、当該顔認識処理により認識された顔画像に対して上記画像加工処理部２５にて所望の画像加工を行わせる加工制御処理と、上記メモリ部１５に記録されている人物画像の顔画像部分を上記画像加工処理後の顔画像により置き換えてメモリ部１５に記録する画像記録処理とを、実行可能となされている。
【００３３】
また詳細は後述するが、制御部１０は、本発明にかかる画像処理アプリケーションプログラムを実行することにより、本発明の第３の実施形態の処理として、カメラ機能部により得られる撮像画像から人物の顔画像を検出及び抽出する顔認識処理と、カメラ機能部により得られる人物画像のポーズパターン等をパターンマッチングにより検出するパターンマッチング処理と、上記パターンマッチングにより検出されたポーズパターンをコマンドパターンとして上記画像加工処理部２５を制御することにより、上記顔認識処理で認識された顔画像に対して所望の画像加工を行わせる加工制御処理と、カメラ機能部にて実際に撮影された人物画像の顔画像部分を上記画像加工処理後の顔画像により上書きしてメモリ部１５に記録する画像記録処理とを、実行可能となされている。すなわち本実施形態の携帯電話端末は、複数のポーズパターンと、画像加工による複数の表情を設定するための複数のコマンドパターンとをそれぞれ対応付けてメモリ部１５に保持しており、パターンマッチングにより検出したポーズパターンに応じて、メモリ部１５からコマンドパターンを読み出し、そのコマンドパターンにより上記画像加工処理部２５における表情加工を制御する。なお、上記パターンマッチング処理については既知の技術であるため、ここではその詳細な説明を省略する。
【００３４】
また詳細は後述するが、制御部１０は、本発明にかかる画像処理アプリケーションプログラムを実行することにより、本発明の第４の実施形態の処理として、ディジタルテレビジョン放送用アンテナ３０及びテレビジョン制御部２９からなるテレビジョン機能部より得られるテレビジョン画像から人物の顔画像を検出及び抽出する顔認識処理と、上記顔認識処理により認識された顔画像に基づいて、例えばメモリ部１５に記録されている人物の顔画像に対して上記画像加工処理部２５にて所望の画像加工を行わせる加工制御処理と、上記テレビジョン機能部より得られるテレビジョン画像内の人物の顔画像部分を上記画像加工処理後の顔画像により上書きして表示部１３の画面上に表示させる画像表示処理とを、実行可能となされている。
【００３５】
〔第１の実施形態の処理〕
以下、本発明の第１の実施形態について、図２のフローチャートに沿って説明する。なお、この図２のフローチャートに示す処理は、上記制御部１０がメモリ部１５に格納されている本発明にかかる画像処理アプリケーションプログラムを実行することにより実現される処理である。
【００３６】
図２において、制御部１０は、本発明にかかる画像処理アプリケーションプログラムが起動された後は、カメラ機能部の起動を監視しており、ステップＳ１にてカメラ機能部の起動を確認すると、ステップＳ２へ処理を進める。
【００３７】
ステップＳ２の処理に進むと、制御部１０は、例えばカメラ機能部での撮影時にビューファインダーとして使用される表示部１３の画面上に、上記画像加工処理部２５にて行う画像加工処理として、どのような加工処理を実行するのか設定するためのメニュー画面を表示させる。本実施形態の場合、上記メニュー画面には、一例として、撮影人物画像の顔画像に対して施される加工処理として、顔の表情をどのようにするかを設定するためのメニュー画面となされる。具体例を挙げると、当該メニュー画面には、笑顔、すまし顔、怒り顔、泣き顔、ウインク等顔の表情種別を選択するための複数のメニュー項目が表示される。そして、当該ステップＳ２において、当該携帯電話端末の使用者により何れかのメニュー項目が選択されると、制御部１０は、ステップＳ３へ処理を進める。なお、当該メニュー項目の選択は、例えばランダムな自動選択となされても良い。
【００３８】
ステップＳ３の処理に進むと、制御部１０は、上記カメラ機能部により随時取り込まれて上記ビューファインダー上に表示されている画像、つまり実際に撮影される前の撮像画像から、顔認識処理により顔画像を検出する処理を行う。なお、ビューファインダー表示画像内に複数の顔画像がある場合、制御部１０は、それら全てを検出する。
【００３９】
すなわち例えば、図３に示すように、上記ビューファインダー表示画像４０上に複数の人物画像４１，４２が存在しているような場合、制御部１０は、上記ステップＳ３の処理において、図４に示すようにそれら人物画像４１，４２から顔画像が存在する画像エリア４３，４４を検出する。
【００４０】
そして、制御部１０は、ステップＳ４の処理として、ステップＳ３にて上記ビューファインダー表示画像から顔画像を検出できたか否か判断し、顔画像を検出できていない場合にはステップＳ７へ処理を進め、一方、顔画像を検出できた場合には、当該検出できた顔画像のデータをメモリ部１５のＲＡＭ１７に一時的に格納し、ステップＳ５へ処理を進める。
【００４１】
ステップＳ５の処理に進むと、制御部１０は、上記メモリ部１５に一時的に格納している顔画像の画像データを取得（抽出）する。なお、ステップＳ３及びステップＳ４にて複数の顔画像が検出されている場合には、制御部１０は、それら全ての顔画像の画像データを抽出する。
【００４２】
すなわち、制御部１０は、ステップＳ３にて図４に示したように画像エリア４３，４５が検出されている場合、当該ステップＳ５では、それら画像エリア４３，４５から図５に示すように顔画像４５，４６の画像データを抽出する。
【００４３】
次に、制御部１０は、ステップＳ６の処理として、上記ステップＳ５にて抽出した全ての顔画像の画像データを、画像処理部２４の画像加工処理部２５へ送り、そして当該画像加工処理部２５を制御して、ステップＳ２にて設定した表情となるように、それら顔画像に対して画像加工を行わせる。
【００４４】
すなわち例えば、ステップＳ２にて設定された表情が例えば「笑顔」であった場合、制御部１０は、ステップＳ６にて画像加工処理部２５を制御し、上記顔画像４５，４６の表情を、図６のように「笑顔」の顔画像４５Ｃ，４６Ｃにするような画像加工を行わせる。なお、上記画像加工後の顔画像４５Ｃ，４６Ｃについては、ビューファインダー表示画像上に表示しても良いが、本実施形態では表示せずにメモリ部１５のＲＡＭ１７に一時的に格納する。
【００４５】
次に、制御部１０は、ステップＳ７の処理として、使用者による撮影実施の有無確認をする。すなわち例えば、上記操作部１４のシャッターボタンが押されたか否か（撮影が行われたか否か）判断し、シャッターボタンが押されていない場合にはステップＳ３へ処理を戻し、シャッターボタンが押された（撮影が行われた）場合にはステップＳ８へ処理を進める。
【００４６】
ステップＳ８の処理に進むと、制御部１０は、ステップＳ７にて撮影されたことでカメラ機能部より得られた実際の撮影画像から、顔認識処理により顔画像を検出する処理を行い、ステップＳ９へ処理を進める。
【００４７】
ステップＳ９の処理に進むと、制御部１０は、ステップＳ８にて撮影画像から検出された顔画像と、先にメモリ部１５のＲＡＭ１７に一時的に格納しておいた撮影前のビューファインダー表示画像から検出された顔画像との一致検出を行う。なお、顔画像の一致／不一致検出は、顔認識処理において既知の技術であるため、ここではその詳細の説明は省略する。そして、制御部１０は、略々一致する顔画像が一つも検出されなかった場合には何もせずに処理を終了し、一方、略々一致する顔画像が一つでも検出された場合はステップＳ１０へ処理を進める。
【００４８】
ステップＳ１０の処理に進むと、制御部１０は、上記ステップＳ８にて撮影画像から検出された顔画像の部分を、ステップＳ６にて画像加工が施されてメモリ部１５のＲＡＭ１７に一時的に格納されている顔画像にて上書きする。
【００４９】
これにより、上記撮影画像は、図７に示すように、例えば表情が「笑顔」に加工された顔画像に置き換えられた画像４０Ｃとなる。
【００５０】
すなわち、この第１の実施形態によれば、カメラ機能付き携帯電話端末の使用者が撮影タイミングや被写体人物の表情などを特別意識することなしに人物撮影を行っても、常に笑顔等の所望の表情となった写真画像が得られることになる。
【００５１】
なお、上述の説明では、例えば複数の人物を撮影する場合に、表情設定用のメニュー項目にて各人物の表情が全て「笑顔」になる設定例を挙げたが、本発明では、それら複数の人物の各々についてそれぞれ異なる表情に設定するようなメニュー項目選択も可能であり、その場合、一度の撮影で各人の顔画像がそれぞれ異なる表情に加工された写真画像を得ることができる。
【００５２】
〔第２の実施形態の処理〕
次に、本発明の第２の実施形態について、図８のフローチャートに沿って説明する。なお、この図８のフローチャートに示す処理は、上記制御部１０がメモリ部１５に格納されている本発明にかかる画像処理アプリケーションプログラムを実行することにより実現される処理である。
【００５３】
図８において、制御部１０は、本発明にかかる画像処理アプリケーションプログラムが起動された後、ステップＳ２１の処理として、例えばメモリ部１５のＲＯＭ等に保存されている複数画像（例えば撮影済みの画像等）を例えば表示部１３の画面上で閲覧するモードにおいて、何れか一つ或いは複数の画像が選択されると、ステップＳ２２へ処理を進める。
【００５４】
ステップＳ２２の処理に進むと、制御部１０は、上記ステップＳ２１にて選択された画像から、顔認識処理により顔画像を検出する処理を行う。なお、選択された画像内に複数の顔画像がある場合、制御部１０は、それら全てを検出する。
【００５５】
すなわち例えば、前述の図３〜図７を流用して説明すると、上記選択された画像４０内に複数の人物画像４１，４２が存在しているような場合、制御部１０は、当該ステップＳ２２の処理において、前述図４に示すようにそれら人物画像４１，４２から顔画像が存在する画像エリア４３，４４を検出する。
【００５６】
そして、制御部１０は、ステップＳ２３の処理として、ステップＳ２２にて上記選択画像から顔画像を検出できたか否か判断し、顔画像を検出できていない場合には何もせずに処理を終了し、一方、顔画像を検出できた場合には、当該検出できた顔画像のデータをメモリ部１５のＲＡＭ１７に一時的に格納し、ステップＳ２４へ処理を進める。
【００５７】
ステップＳ２４の処理に進むと、制御部１０は、当該メモリ部１５に一時的に格納している顔画像の画像データを取得（抽出）する。なお、ステップＳ２２及びステップＳ２３にて複数の顔画像が検出されている場合には、制御部１０は、それら全ての顔画像の画像データを抽出する。これら抽出された顔画像のデータはメモリ部１５のＲＡＭ１７に一時的に格納される。
【００５８】
すなわち、制御部１０は、ステップＳ２２にて図４に示したように画像エリア４３，４５が検出されている場合、当該ステップＳ２４では、それら画像エリア４３，４５から図５に示すように顔画像４５，４６の画像データを抽出する。
【００５９】
次に、制御部１０は、ステップＳ２５の処理として、表示部１３の画面上に、上記画像加工処理部２５にて行う画像加工処理として、どのような加工処理を実行するのか設定するためのメニュー画面を表示させる。この第２の実施形態の場合も前述の第１の実施形態の場合と同様に、上記メニュー画面には、一例として、撮影人物画像の顔画像に対して施される加工処理として、顔の表情をどのようにするかを設定するためのメニュー画面となされる。なお、当該メニュー項目の選択は、ランダムな自動選択となされても良いし、例えば複数の人物の表情を全て同じにする設定や、それぞれ異なる表情に設定する選択であっても良い。
【００６０】
そして、当該ステップＳ２５において、当該携帯電話端末の使用者により何れかのメニュー項目が選択されると、制御部１０は、ステップＳ２６へ処理を進め、上記ステップＳ２４にて抽出した全ての顔画像の画像データを、画像処理部２４の画像加工処理部２５へ送り、そして当該画像加工処理部２５を制御して、ステップＳ２５にて設定した表情となるように、それら顔画像に対して画像加工を行わせる。
【００６１】
すなわち例えば、ステップＳ２５にて設定された表情が例えば「笑顔」であった場合、制御部１０は、ステップＳ２６にて画像加工処理部２５を制御し、上記顔画像４５，４６の表情を、図６のように「笑顔」の顔画像４５Ｃ，４６Ｃにするような画像加工を行わせる。なお、上記画像加工後の顔画像４５Ｃ，４６Ｃについては、表示部１３の画像上に表示しても良いし、表示せずにメモリ部１５のＲＡＭ１７に一時的に格納しても良い。
【００６２】
次に、制御部１０は、ステップＳ２７の処理として、ステップＳ２２にて選択画像から検出された顔画像の部分を、ステップＳ２６にて画像加工が施されてメモリ部１５のＲＡＭ１７に一時的に格納されている顔画像にて置き換える。
【００６３】
これにより、上記選択画像は、図７に示すように、例えば表情が「笑顔」に加工された顔画像に置き換えられた画像となる。
【００６４】
すなわち、この第２の実施形態によれば、カメラ機能付き携帯電話端末により既に撮影された画像についても、笑顔等の所望の表情となった写真画像に変換することが可能となっている。
【００６５】
〔第３の実施形態の処理〕
以下、本発明の第３の実施形態について、図９のフローチャートに沿って説明する。なお、この図９のフローチャートに示す処理は、上記制御部１０がメモリ部１５に格納されている本発明にかかる画像処理アプリケーションプログラムを実行することにより実現される処理である。
【００６６】
この第３の実施形態の場合、コマンドパターンに応じてどのような画像加工処理を実行するのかが予め設定される。当該設定は、人物の所望のポーズパターンをコマンドパターンとして設定すると同時に、そのコマンドパターンが検出された時にどのような画像加工処理を実行するかを対応付けて決めておくようなものとなされる。すなわち例えば、予め所望のポーズをとっている人物画像を撮影し、そのポーズパターンをコマンドパターンとし、そのコマンドパターンに対して何れか所望の画像加工処理を対応付けるような設定が可能である。その他にも、予めコマンドパターンと画像加工処理の対応付けが登録されているような場合には、そのコマンドパターンに対応したポーズパターン画像を例えばディスプレイ上に表示することで、ユーザに対して何れのポーズパターンが、何れの画像加工処理を実行するためのコマンドパターンになっているのかを知らせるようにしてもよい。これらポーズパターンとコマンドパターンの設定は複数同時に行われても良い。
【００６７】
図９において、制御部１０は、本発明にかかる画像処理アプリケーションプログラムが起動された後は、カメラ機能部の起動を監視しており、ステップＳ３１にてカメラ機能部の起動を確認すると、ステップＳ３２へ処理を進める。
【００６８】
ステップＳ３２の処理に進むと、制御部１０は、上記カメラ機能部により随時取り込まれてビューファインダー上に表示されている画像（実際に撮影される前の撮像画像）から、顔認識処理により顔画像を検出する処理を行う。なお、ビューファインダー表示画像内に複数の顔画像がある場合、制御部１０は、それら全てを検出する。
【００６９】
すなわち例えば図１０のように、上記ビューファインダー表示画像５０上に人物画像５１が存在しているような場合、上記制御部１０は、上記ステップＳ３２の処理において、図１１に示すようにそれら人物画像５１から顔画像５３が存在する画像エリア５２を検出する。
【００７０】
そして、制御部１０は、ステップＳ３３の処理として、ステップＳ３２にて上記ビューファインダー表示画像から顔画像を検出できたか否か判断し、顔画像を検出できていない場合にはステップＳ３７へ処理を進め、一方、顔画像を検出できた場合には、その顔画像のデータを上記メモリ部１５のＲＡＭ１７に一時的に格納し、ステップＳ３４へ処理を進める。
【００７１】
ステップＳ３４の処理に進むと、制御部１０は、上記ビューファインダー表示画像からパターンマッチングにより人物画像のポーズパターンが検出できるか否か判断し、ポーズパターンを検出できていない場合にはステップＳ３７へ処理を進め、一方、ポーズパターンを検出できた場合には、ステップＳ３５へ処理を進める。
【００７２】
すなわち例えば図１２のように、制御部１０は、上記ビューファインダー表示画像５０上の人物画像からポーズパターン５４が存在する画像エリア５５を検出する。なお、ビューファインダー表示画像から複数の人物画像についてそれぞれポーズパターンが検出可能である場合、制御部１０はそれら全ての人物画像についてそれぞれポーズパターンを検出する。
【００７３】
そして、ステップＳ３５の処理に進むと、制御部１０は、上記メモリ部１５に一時的に格納している顔画像の画像データを取得（抽出）する。なお、複数の顔画像が検出されている場合には、制御部１０は、それら全ての顔画像の画像データを抽出する。
【００７４】
次に、制御部１０は、ステップＳ３６の処理として、上記ステップＳ３５にて抽出した顔画像の画像データを、画像処理部２４の画像加工処理部２５へ送ると共に、ステップＳ３４にて検出したコマンドパターンに応じて当該画像加工処理部２５を制御することにより、上記顔画像に対して上記コマンドパターンに応じた画像加工を行わせる。
【００７５】
すなわち例えば、コマンドパターン（ポーズパターン）に対応した設定済みの画像加工が、例えば顔の表情を「ウインク」とする画像加工となされている場合、制御部１０は、ステップＳ３６にて画像加工処理部２５を制御し、上記顔画像５３の表情を、図１３のように「ウインク」の顔画像５３Ｃにするような画像加工を行わせる。なお、上記画像加工後の顔画像５３Ｃについては、ビューファインダー表示画像上に表示しても良いが、本実施形態では表示せずにメモリ部１５のＲＡＭ１７に一時的に格納する。また、複数の人物画像についてそれぞれポーズパターンが検出され、それら各ポーズパターンがコマンドパターンとして検出された場合、制御部１０は、それら全ての人物画像の顔画像についてそれぞれコマンドパターンに応じた画像加工を施すように画像加工処理部２５を制御することも可能である。
【００７６】
次に、上記制御部１０は、ステップＳ３７の処理として、使用者による撮影実施の有無確認をする。つまり、操作部１４のシャッターボタンが押されたか否か（撮影が行われたか否か）判断し、シャッターボタンが押されていない場合にはステップＳ３２へ処理を戻し、シャッターボタンが押された（撮影が行われた）場合にはステップＳ３８へ処理を進める。
【００７７】
ステップＳ３８の処理に進むと、制御部１０は、ステップＳ３７にて撮影されたことでカメラ機能部より得られた実際の撮影画像から、顔認識処理により顔画像を検出する処理を行い、ステップＳ３９へ処理を進める。
【００７８】
ステップＳ３９の処理に進むと、制御部１０は、ステップＳ３８にて撮影画像から検出された顔画像と、先にメモリ部１５のＲＡＭ１７に一時的に格納しておいた撮影前のビューファインダー表示画像から検出された顔画像との一致検出を行う。そして、制御部１０は、略々一致する顔画像が一つも検出されなかった場合には何もせずに処理を終了し、一方、略々一致する顔画像が一つでも検出された場合はステップＳ４０へ処理を進める。
【００７９】
ステップＳ４０の処理に進むと、制御部１０は、上記ステップＳ３８にて撮影画像から検出された顔画像の部分を、ステップＳ３６にてコマンドパターン（ポーズパターン）に応じて画像加工が施されてメモリ部１５のＲＡＭ１７に一時的に格納されている顔画像にて上書きする。
【００８０】
これにより、上記撮影画像は、図１４に示すように、例えば表情が「ウインク」に加工された顔画像に置き換えられた画像となる。
【００８１】
すなわち、この第３の実施形態によれば、カメラ機能付き携帯電話端末にて被写体側となっている被撮影者が、所望のポーズをとることで、携帯電話端末側にて当該ポーズパターンがコマンドパターンとして検出され、そのコマンドパターンに応じた画像加工が、当該被撮影者の撮影画像の顔画像に施されることになる。したがって、この第３の実施形態の場合は、被撮影者自らが所望の表情の顔画像となった写真画像を撮影することが可能となる。
【００８２】
また、第３の実施形態において、例えば複数の被撮影者が存在する場合に、それら各被撮影者毎に異なるポーズパターンと画像加工の対応付けを行っておけば、それぞれ各被撮影者の各々についてそれぞれ異なる表情の画像加工が施された写真画像を得ることが可能となる。
【００８３】
〔第４の実施形態の処理〕
以下、本発明の第４の実施形態について、図１５のフローチャートに沿って説明する。なお、この図１５のフローチャートに示す処理は、上記制御部１０がメモリ部１５に格納されている本発明にかかる画像処理アプリケーションプログラムを実行することにより実現される処理である。
【００８４】
この第４の実施形態の場合、制御部１０は、本発明にかかる画像処理アプリケーションプログラムが起動された後、ディジタルテレビジョン放送を受信して表示する機能を起動する前に、ステップＳ５１の処理として、例えばメモリ部１５のＲＯＭ等に保存されているユーザ自身の画像やその他複数の画像が例えば表示部１３の画面上に表示され、それら画像の中からユーザ自身若しくはテレビジョン画面上に登場させたい人物の顔データが、操作部１４の操作を通じて選択されると、ステップＳ５２へ処理を進める。
【００８５】
ステップＳ５２の処理に進むと、制御部１０は、ステップＳ５２にて選択された顔データをメモリ部１５のＲＡＭ１７に一時的に登録する。
【００８６】
次に、制御部１０は、ステップＳ５３にてテレビジョン機能が起動されたことを検知すると、ステップＳ５４へ処理を進める。なお、このステップＳ５３では、制御部１０がテレビジョン機能を起動させてもよい。
【００８７】
ステップＳ５４の処理に進むと、制御部１０は、テレビジョン制御部２９が受信したテレビジョン放送のフレームデータをメモリ部１５のＲＡＭ１７へ格納させ、ステップＳ５５へ処理を進める。
【００８８】
ステップＳ５５の処理に進むと、制御部１０は、上記ＲＡＭ１７に格納したフレームデータの画像から、顔認識処理により顔画像を検出する処理を行う。なお、フレームデータの画像内に複数の顔画像がある場合、制御部１０は、それら全てを検出する。
【００８９】
そして、制御部１０は、ステップＳ５６の処理として、ステップＳ５５にて上記フレームデータの画像から顔画像を検出できたか否か判断し、顔画像を検出できていない場合にはステップＳ６０へ処理を進め、一方、顔画像を検出できた場合には、当該検出できた顔画像とその顔画像のフレーム内の位置、及び、その顔画像の表情等のデータを取得し、メモリ部１５のＲＡＭ１７に一時的に格納し、ステップＳ５７へ処理を進める。なお、顔画像の表情データの取得については、顔認識技術により実現可能であるためここではその詳細についての説明は省略する。
【００９０】
ステップＳ５７の処理に進むと、制御部１０は、ステップＳ５２にて選択されて上記メモリ部１５に一時的に格納している顔データを画像加工処理部２５へ送ると共に、ステップＳ５６にて取得した顔画像の表情のデータを基にして上記画像加工処理部２５を制御することにより、上記ステップＳ５２にて選択された顔データに対して、上記ステップＳ５６で取得した表情に応じた画像加工を行わせる。
【００９１】
次に、制御部１０は、ステップＳ５９の処理として、ステップＳ５６で取得した位置の情報を基に、そのフレーム内の顔画像の位置を特定し、その特定された位置の顔画像を、上記ステップＳ５８にて画像加工を施した後の顔画像で上書きする。
【００９２】
そして、制御部１０は、ステップＳ６０の処理として、上記ステップＳ５９にて顔画像が上書きされたフレームデータを表示部１３の画面上に表示させる。
【００９３】
すなわち、この第４の実施形態によれば、テレビジョン機能付きの携帯電話端末において、テレビジョン放送されている画像を画面上に表示する場合に、テレビジョン放送されているフレーム内の人物の顔画像が、ステップＳ５１にて選択された顔画像で、且つその顔画像が上記フレーム内の人物の顔の表情に応じて画像加工された画像となったテレビジョン画像を表示することが可能となる。
【００９４】
また、この第４の実施形態の場合において、テレビジョン画像内に複数の人物が表示されている場合には、それら各人物の顔画像をそれぞれ画像加工の施された別人の顔画像に変換することができる。
【００９５】
〔まとめ〕
以上説明したように、本発明の各実施形態によれば、撮影画像やテレビジョン画像の人物の顔画像を画像加工の施された顔画像に置き換えることにより、例えば人物の表情が所望の表情になった写真画像やテレビジョン画像を得ることが可能となる。
【００９６】
なお、上述した本発明の実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００９７】
本実施形態の通信装置は、カメラ機能とテレビジョン機能付きの携帯電話端末に限定されず、それら機能を備えたＰＤＡ（Personal Digital Assistant）やパーソナルコンピュータ、携帯型テレビゲーム装置、携帯型ディジタルテレビジョン受信機、カーナビゲーション装置など様々な端末や、据え置き型の通信装置などにも適用可能である。
【図面の簡単な説明】
【００９８】
【図１】本発明実施形態のカメラ機能及びテレビジョン機能付き携帯電話端末の概略構成を示すブロック図である。
【図２】本発明の第１の実施形態における画像処理の流れを示すフローチャートである。
【図３】複数の人物画像が表示されたビューファインダーの表示画像例を示す図である。
【図４】画像から各人物の顔画像を検出する際の説明に用いる図である。
【図５】画像から抽出された顔画像例を示す図である。
【図６】画像から抽出された顔画像に画像加工が施される例を示す図である。
【図７】画像から抽出された顔画像を画像加工された顔画像に置き換えた後の画像例を示す図である。
【図８】本発明の第２の実施形態における画像処理の流れを示すフローチャートである。
【図９】本発明の第３の実施形態における画像処理の流れを示すフローチャートである。
【図１０】一人の人物画像が表示されたビューファインダー表示画像例を示す図である。
【図１１】一人の人物画像から顔画像を検出する際の説明に用いる図である。
【図１２】人物画像のポーズパターン（つまりコマンドパターン）を検出する例を図である。
【図１３】人物画像のポーズパターンから得られたコマンドパターンに応じて顔画像に画像加工が施される例を示す図である。
【図１４】一人の画像から抽出された顔画像をコマンドパターンに応じて画像加工された顔画像に置き換えた後の画像例を示す図である。
【図１５】本発明の第４の実施形態における画像処理の流れを示すフローチャートである。
【符号の説明】
【００９９】
１０  制御部、１１  通信回路、１２  通信アンテナ、１３  表示部、１４  操作部、１５  メモリ部、１６  ＲＯＭ、１７  ＲＡＭ、２１  スピーカ、２２  マイクロホン、２３  音声処理部、２４  画像処理部、２５  画像加工処理部、２７  撮影制御部、２８  カメラ部、２９  テレビジョン制御部、３０  テレビジョン放送用アンテナ、４０  ビューファインダ表示画像、４１，４２，５１  人物画像、４３，４４，４３Ｃ，４４Ｃ，５２，５５  画像エリア、４５，４６，５３  顔画像、４５Ｃ，４６Ｃ，５３Ｃ  画像加工後の顔画像、４０Ｃ，５０Ｃ  画像加工後の撮影画像
【図１】
0004995135.tif 000002
【図２】
0004995135.tif 000003
【図３】
0004995135.tif 000004
【図４】
0004995135.tif 000005
【図５】
0004995135.tif 000006
【図６】
0004995135.tif 000007
【図７】
0004995135.tif 000008
【図８】
0004995135.tif 000009
【図９】
0004995135.tif 000010
【図１０】
0004995135.tif 000011
【図１１】
0004995135.tif 000012
【図１２】
0004995135.tif 000013
【図１３】
0004995135.tif 000014
【図１４】
0004995135.tif 000015
【図１５】
0004995135.tif 000016